(57)【特許請求の範囲】
【請求項１】
第１の搬送周波数を用い、電力路に高周波電流を重畳する電力線搬送通信により信号を送受信する第１の電力線通信部を具備したコントローラと、
照明負荷、前記照明負荷を点灯させる点灯回路部、前記第１の搬送周波数とは異なる第２の搬送周波数を用い、電力路に高周波電流を重畳する電力線搬送通信により信号を送受信する第２の電力線通信部、及び前記第２の電力線通信部で受信した制御信号に従って前記点灯回路部の出力を制御することで前記照明負荷の点灯状態を制御する制御部を具備した１乃至複数の照明器具と、
前記第１の搬送周波数の信号を送受信する第３の電力線通信部、前記第２の搬送周波数の信号を送受信する第４の電力線通信部、及び電力路の途中に設けられ、前記第１の搬送周波数の信号は通過させて、前記第２の搬送周波数の信号は遮断するフィルタ部を具備した１乃至複数のグループ親機とを備え、
前記コントローラは、前記照明器具を制御するための制御信号を前記第１の電力線通信部から前記グループ親機へ送信させ、前記グループ親機は、前記第３の電力線通信部が受信した制御信号を前記第４の電力線通信部から前記照明器具へ送信させており、
少なくとも２つ以上の前記グループ親機を備え、前記コントローラと前記グループ親機との通信は、前記グループ親機と前記コントローラの間に配置された他の前記グループ親機が信号を中継することを特徴とする照明システム。
【請求項２】
前記第２の搬送周波数が、前記第１の搬送周波数よりも高い周波数に設定されたことを特徴とする請求項１記載の照明システム。
【請求項３】
前記第２の搬送周波数を用い、電力路に高周波電流を重畳する電力線搬送通信により信号を送受信する第５の電力線通信部を前記コントローラが備え、前記照明器具は、電力路を有する配線ダクトに接続可能であり、前記照明器具に個別のアドレスを設定する際には、前記コントローラとの間に前記グループ親機が介在していない状態で前記配線ダクトに１つずつ接続した前記照明器具に対して、前記第２の電力線通信部と前記第５の電力線通信部との間で所定の信号を送受信することでアドレスを設定することを特徴とする請求項１又は２記載の照明システム。
【発明の詳細な説明】
【技術分野】
【０００１】
本発明は、電力線搬送通信により照明負荷を制御する照明システムに関するものである。
【背景技術】
【０００２】
従来より、電力線搬送通信により照明負荷を制御する照明システムが提供されている（例えば特許文献１参照）。この照明システムは、システム全体をコントロールするコントローラと、コントローラからの制御信号に従って照明負荷を点灯、消灯或いは調光する複数の照明器具とが電力線を介して接続されており、この電力線に所定周波数の高周波電流を重畳させることによってコントローラと各照明器具との間で信号の送受信を行う。そして、各照明器具では、それぞれコントローラから送信される制御信号に従って照明負荷を点灯、消灯或いは調光するのである。
【先行技術文献】
【特許文献】
【０００３】
【特許文献１】特開２００５−６３８０３号公報（段落［００３０］−段落［００３８］、及び、第１図）
【発明の概要】
【発明が解決しようとする課題】
【０００４】
上述の特許文献１に示した照明システムでは、受信側（コントローラ又は各照明器具）までの電力線の２線間インピーダンスが低いと電力線に重畳した信号は減衰するが、この２線間インピーダンスは、電力線の絶縁抵抗が大きいことから、受信側までの電力線に接続される機器の入力インピーダンスで決定される。特許文献１の照明システムでは、各照明器具が備える点灯回路（例えば蛍光灯の電子式高周波点灯回路やＬＥＤの高圧ＡＣ／ＤＣコンバータなど）に、不要雑音対策としてコンデンサとコモンモードフィルタが接続されることが多く、コモンモードフィルタの入力インピーダンスは比較的高いことから、点灯回路の入力インピーダンスはコンデンサによって決定される。そして、これらの照明器具が複数接続されることは、複数のコンデンサが並列に接続されるのと同等であることから、２線間インピーダンスは低下することになり、その結果受信側への信号が減衰して正常に受信できない可能性があった。
【０００５】
そこで、受信性能を向上させるために、通信経路の途中に接続された照明器具が信号を中継することが考えられるが、この場合信号の伝送経路の設定が複雑であることから手動で設定するのは困難であり、また全ての照明器具が中継した場合には通信頻度が上昇することから通信にかかる時間が長くなってしまうという問題があった。
【０００６】
本発明は上記問題点に鑑みて為されたものであり、その目的とするところは、通信時間を短縮しつつ信号を確実に伝送できる照明システムを提供することにある。
【課題を解決するための手段】
【０００７】
請求項１の発明は、第１の搬送周波数を用い、電力路に高周波電流を重畳する電力線搬送通信により信号を送受信する第１の電力線通信部を具備したコントローラと、照明負荷、前記照明負荷を点灯させる点灯回路部、前記第１の搬送周波数とは異なる第２の搬送周波数を用い、電力路に高周波電流を重畳する電力線搬送通信により信号を送受信する第２の電力線通信部、及び前記第２の電力線通信部で受信した制御信号に従って前記点灯回路部の出力を制御することで前記照明負荷の点灯状態を制御する制御部を具備した１乃至複数の照明器具と、前記第１の搬送周波数の信号を送受信する第３の電力線通信部、前記第２の搬送周波数の信号を送受信する第４の電力線通信部、及び電力路の途中に設けられ、前記第１の搬送周波数の信号は通過させて、前記第２の搬送周波数の信号は遮断するフィルタ部を具備した１乃至複数のグループ親機とを備え、前記コントローラは、前記照明器具を制御するための制御信号を前記第１の電力線通信部から前記グループ親機へ送信させ、前記グループ親機は、前記第３の電力線通信部が受信した制御信号を前記第４の電力線通信部から前記照明器具へ送信させており、少なくとも２つ以上の前記グループ親機を備え、前記コントローラと前記グループ親機との通信は、前記グループ親機と前記コントローラの間に配置された他の前記グループ親機が信号を中継することを特徴とする。
【０００９】
請求項２の発明は、請求項１の発明において、前記第２の搬送周波数が、前記第１の搬送周波数よりも高い周波数に設定されたことを特徴とする。
【００１０】
請求項３の発明は、請求項１又は２の発明において、前記第２の搬送周波数を用い、電力路に高周波電流を重畳する電力線搬送通信により信号を送受信する第５の電力線通信部を前記コントローラが備え、前記照明器具は、電力路を有する配線ダクトに接続可能であり、前記照明器具に個別のアドレスを設定する際には、前記コントローラとの間に前記グループ親機が介在していない状態で前記配線ダクトに１つずつ接続した前記照明器具に対して、前記第２の電力線通信部と前記第５の電力線通信部との間で所定の信号を送受信することでアドレスを設定することを特徴とする。
【発明の効果】
【００１１】
請求項１の発明によれば、グループ親機から送信された第２の搬送周波数の信号は、別のグループ親機が備えるフィルタによって遮断されるから、別のグループ親機との間に接続された照明器具のみに受信される。したがって、１つのグループ親機で制御する照明器具の数を減らすことができ、その結果信号の減衰幅を小さくすることができるので、コントローラから送信される信号を照明器具側に確実に伝送することができる。また、コントローラとグループ親機、グループ親機と照明器具の間の搬送周波数を異ならせることで、各搬送周波数帯における通信頻度を下げることができ、その結果通信時間の短縮を図ることができるという効果がある。
【００１２】
さらに、各グループ親機がそれぞれコントローラと通信する際には、通信対象のグループ親機とコントローラの間に配置された他のグループ親機が信号を中継するので、グループ親機とコントローラとの間で送受信される信号を確実に伝送することができ、その結果通信の信頼性が向上するという効果がある。
【００１３】
請求項２の発明によれば、照明器具が備えるフィルタ回路にはチョークコイルやコンデンサなどの電子部品が含まれており、これらの電子部品は搬送周波数が高いほど小さくすることが可能であるから、グループ親機と照明器具の間の搬送周波数を、コントローラとグループ親機の間の搬送周波数よりも高い周波数に設定することで、フィルタ回路を小さくすることができて、照明器具の小型化を図ることができるという効果がある。
【００１４】
請求項３の発明によれば、コントローラとの間にグループ親機が介在していない状態で配線ダクトに照明器具を接続することによって、コントローラと照明器具との間で電力線通信部による通信が可能となり、接続した照明器具に対して自動的に個別のアドレスを設定できるので、作業性を向上できるとともに、アドレス設定による人的ミスを防止することもできるという効果がある。
【図面の簡単な説明】
【００１５】
【図１】本実施形態の照明システムのブロック構成図である。
【図２】同上の施工例である。
【図３】同上のシステム構成図である。
【図４】同上に用いられるグループ親機のブロック図である。
【図５】同上のグループ親機に設けられた中継機能設定用のディップスイッチの設定例である。
【図６】同上に用いられるコントローラの一例である。
【発明を実施するための形態】
【００１６】
以下に、本発明に係る照明システムの実施形態を図面に基づいて説明する。本発明に係る照明システムは、例えば美術館や博物館、店舗などに設置されて、展示物や商品などを照明するために用いられる。
【００１７】
図１は本実施形態の照明システムのブロック構成図、図３は同上のシステム構成図であり、本照明システムは、システム全体をコントロールするコントローラ１と、コントローラ１から送信される制御信号に従って照明負荷３５を点灯、消灯或いは調光する複数（本実施形態では９つ）の照明器具３と、複数の照明器具３をグループ単位で制御する複数（本実施形態では３つ）のグループ親機２とを備えており、これらのコントローラ１、グループ親機２及び照明器具３は、商用交流電源ＡＣに接続された電力路５を介して互いに電気的に接続されている。また、商用交流電源ＡＣとコントローラ１の間には、図２に示すように本照明システムへの供給電力を入／切するためのブレーカ４が配設されている。なお、以下の説明において、グループ親機２を区別する必要があるときはグループ親機２１〜２３と表記し、照明器具３を区別する必要があるときは照明器具３１〜３９と表記して区別する。
【００１８】
コントローラ１は、図１に示すように、第１の搬送周波数を用い、電力路５に高周波電流を重畳する電力線搬送通信により信号を送受信する電力線通信部（第１の電力線通信部）１２と、第１の搬送周波数と異なる第２の搬送周波数を用い、電力路５に高周波電流を重畳する電力線搬送通信により信号を送受信する電力線通信部（第５の電力線通信部）１３と、例えばスイッチやＬＣＤ、ＬＥＤなどで構成され、本照明システムの各種設定を行う設定部１４と、これらの電力線通信部１２，１３及び設定部１４を制御する制御部１１とを備えており、例えば壁面などの造営面に取り付けられた状態で使用される。
【００１９】
グループ親機２は、図１に示すように、第１の搬送周波数の信号を送受信する電力線通信部（第３の電力線通信部）２２と、後述する照明器具３の電力線通信部３２との間で、第１の搬送周波数と異なる第２の搬送周波数により信号を送受信する電力線通信部（第４の電力線通信部）２３と、電力路５の途中に設けられ、第１の搬送周波数の信号は通過させて、第２の搬送周波数の信号は遮断するフィルタ部２４と、電力線通信部２２，２３を制御する制御部２１とを備えており、図２に示すように電力路５を有する配線ダクト６，６間に配設される。
【００２０】
照明器具３は、図１に示すように、例えば白熱灯からなる照明負荷３５と、位相制御回路などで構成され、位相角を変更することによって照明負荷３５の調光レベルを制御する点灯回路部３３と、第２の搬送周波数の信号を送受信する電力線通信部（第２の電力線通信部）３２と、この電力線通信部３２で受信した制御信号に従って点灯回路部３３の出力を制御する制御部３１と、ＥＥＰＲＯＭなどで構成され、調光レベルなどの個別照明負荷情報を記憶する記憶部３４とを備えており、例えば図２に示すようにスポットライトとして用いられる。
【００２１】
この照明器具３では、記憶部３４に記憶させた上記の個別照明負荷情報と電力線通信部３２で受信した制御信号に従って、制御部３１が点灯回路部３３を制御することで照明負荷３５の点灯状態を制御するのである。ここにおいて、上記の制御部１１，２１，３１は、例えばマイクロコンピュータなどで構成している。
【００２２】
ここで、図４は本実施形態のグループ親機２のブロック図であり、電力線通信部２２が第１の搬送周波数の信号を送受信するとともに、電力線通信部２３が第２の搬送周波数の信号を送受信し、さらに第２の搬送周波数は第１の搬送周波数よりも高い周波数に設定されている。そして、第１の搬送周波数の信号はフィルタ部２４を通過するため、電力路５に接続された全てのグループ親機２に伝送されるが、第２の搬送周波数の信号はグループ親機２が備えるフィルタ部２４によって遮断されるため、他のグループ親機２に対応付けた照明器具３に伝送されることはない。ここに、フィルタ部２４は、例えば従来から住宅用の分電盤の主幹電力路に挿入されるブロッキングフィルタであり、電力供給のため５０／６０Ｈｚの商用周波数については通過させる必要があることから、本実施形態では、カットオフ周波数が第１の搬送周波数よりも高く且つ第２の搬送周波数よりも低いローパスフィルタを用いるのが好ましい。
【００２３】
なお、電力線搬送通信の通信方式には、振幅変復調方式（ＡＳＫ）や周波数変復調方式（ＦＳＫ）、幅広い周波数を利用するスペクトラム拡散方式（ＳＳ）などがあるが、本実施形態では何れの通信方式であってもよい。
【００２４】
ところで、本実施形態では、コントローラ１とグループ親機２との間で通信する際には、このグループ親機２とコントローラ１の間に配置された他のグループ親機２が信号を中継するようになっており、各グループ親機２には、それぞれ中継の要否を設定するディップスイッチ２５（図１参照）が設けられている。このディップスイッチ２５は、ビット１〜８がそれぞれグループ親機２１〜２８に対応しており、ビットｎ（ｎ＝１〜８）がＯＮであればグループ親機２ｎへの信号を中継し、ＯＦＦであれば中継を行わないように設定される。
【００２５】
図５はグループ親機２１が備えるディップスイッチ２５の設定例であり、この場合グループ親機２１は、ディップスイッチ２５の２ビット目と３ビット目がＯＮになっていることから、グループ親機２２又はグループ親機２３がコントローラ１と通信する際に信号を中継する。また、グループ親機２２は、同様にしてディップスイッチ２５の３ビット目がＯＮにされ、グループ親機２３がコントローラ１と通信する際に信号を中継する。したがって、グループ親機２３がコントローラ１と通信している場合には、コントローラ１から送信された信号は、フィルタ部２４を介して直接グループ親機２３に向けて送信されるとともに、グループ親機２１及びグループ親機２２で一旦中継されたものがグループ親機２３に向けて送信される。その結果、グループ親機２３がコントローラ１から離れており、直接送信された信号が途中で減衰してグループ親機２３で受信できなかった場合でも、グループ親機２１又はグループ親機２２から送信される信号を受信できるため、グループ親機２３ではコントローラ１からの信号を確実に受信することができる。
【００２６】
なお、コントローラ１から送信される信号には、照明器具３に対する制御内容（調光レベルなど）とともに送信先のアドレスが含まれており、各グループ親機２では、このアドレスから送信先が自己であるか否かを判別し、自己への信号である場合には上記の制御内容及び対象となる照明器具３の個別アドレスを取り込み、自己への信号でなく中継すべき信号である場合には他のグループ親機２に向けて送信するのである。
【００２７】
ここで、コントローラ１やグループ親機２は、照明器具３に比べて設置数が少ないことから、ディップスイッチなどを用いてアドレス設定をしてもいいが、照明器具３については設置数が多く、アドレス設定に膨大な作業時間がかかるとともに設定ミスを誘発する虞もある。そこで、本実施形態では、照明器具３のアドレス設定については自動的に設定できるようになっており、以下に図３を参照しながら説明する。
【００２８】
まず最初に、コントローラ１、グループ親機２１〜２３、及び配線ダクト６をそれぞれ所定の位置に設置した後、ディップスイッチによりコントローラ１及びグループ親機２１〜２３のアドレスを設定する。例えば、コントローラ１をアドレス「０」に設定し、グループ親機２１〜２３をそれぞれアドレス「１」〜「３」に設定する。
【００２９】
さらに、グループ親機２１〜２３に対しては、ディップスイッチ２５により中継すべきグループ親機２を設定する。例えば、グループ親機２１では２ビット目と３ビット目をＯＮにし、グループ親機２２では３ビット目をＯＮにする。なお、グループ親機２３については、中継すべきグループ親機２は存在しないから、ディップスイッチ２５の全てのビットはＯＦＦのままである。
【００３０】
次に、照明器具３１〜３９のアドレスを設定するのであるが、本実施形態では１台ずつ設定するようになっている。コントローラ１とグループ親機２１の間にある配線ダクト６（図３参照）に、コントローラ１との間にグループ親機２が介在していない状態で照明器具３１を接続すると、照明器具３１にはアドレス未設定であることから、例えば照明負荷３５を点滅させてアドレス未設定である旨を報知するとともに、コントローラ１に対して個別アドレス設定要求信号を送信する。コントローラ１では、電力線通信部１３により個別アドレス設定要求信号を受信すると、照明器具３１に対して個別アドレス「１」を送信する。そして、照明器具３１では、受信した個別アドレス「１」を記憶部３４に記憶し、一方、コントローラ１では、個別アドレス「１」が設定済であることを記憶部（図示せず）に記憶する。同様にして、照明器具３２〜３９に順次個別アドレス「２」〜「９」を設定する。なおこのとき、コントローラ１と照明器具３とが電力路５を介して直接接続されることから、アドレス設定の際には第２の搬送周波数が用いられる。
【００３１】
次に、それぞれ個別アドレスが設定された照明器具３１〜３９を、所定の配線ダクト６に接続する。例えば、本実施形態では、照明器具３１〜３４をグループ親機２１とグループ親機２２の間の配線ダクト６に接続し、照明器具３５〜３８をグループ親機２２とグループ親機２３の間の配線ダクト６に接続し、さらに照明器具３９をグループ親機２３の下流側（グループ親機２２と反対側）の配線ダクト６に接続している。そして、本実施形態では、グループ親機２１及び照明器具３１〜３４でグループ１を構成し、グループ親機２２及び照明器具３５〜３８でグループ２を構成し、グループ親機２３及び照明器具３９でグループ３を構成している。なお、コントローラ１はグループ０である。
【００３２】
コントローラ１、グループ親機２１〜２３、及び照明器具３１〜３９を設置した後、電源を投入すると、照明器具３１〜３９は論理アドレス設定要求信号を送信するのであるが、相手先アドレスが不明であることから、ブロードキャスト送信する。なお、上記の論理アドレス設定要求信号には、自己に設定された個別アドレスが含まれている。この論理アドレス設定要求信号を受信できるグループ親機２は何れか１つであることから、この信号を受信したグループ親機２は送信元の照明器具３に対して論理アドレスを送信する。例えば、グループ親機２のアドレスが「３」で、照明器具３のアドレスが「４」の場合には、照明器具３に送信する論理アドレスは「３−４」となる。なおこのとき、グループ親機２の論理アドレスは「３−０」である。ここに、複数の照明器具３が、一度に論理アドレス設定要求信号を送信すると混信する虞があることから、電源投入時より例えば（個別アドレス×１秒）の時間を置いてから送信するようにすればよい。
【００３３】
次に、本照明システムの動作について説明する。各照明器具３の論理アドレスの設定が完了すると、続けてコントローラ１の設定部１４により各照明器具３の調光レベルを設定する。或いは、グループ単位で調光レベルを設定する場合には、グループ単位で調光レベルを設定する。その後、設定した調光レベルを対応するアドレスの照明器具３（またはグループ親機２）に送信するのであるが、このとき設定した調光レベルと論理アドレスを含む信号を、電力線通信部１２から第１の搬送周波数で対応するグループ親機２に向けて送信する。
【００３４】
例えば、送信先がグループ親機２３である場合には、フィルタ部２４を通過してコントローラ１から直接送信される信号と、グループ親機２１及びグループ親機２２で一旦中継された信号とがあり、グループ親機２３が少なくとも何れかの信号を受信することで、設定した調光レベルが伝送される。なお、グループ親機２１及びグループ親機２２で一旦中継した信号には、中継信号であることを示すフラグと中継したグループ親機２のグループ番号（例えばグループ親機２２の場合には「２」）が付加される。
【００３５】
何れかの信号を受信したグループ親機２３では、受信したことを通知する返信信号（ＡＣＫ信号）をコントローラ１に向けて送信するが、この返信信号についてもコントローラ１に向けて直接伝送される信号と、グループ親機２１及びグループ親機２２で中継した信号とがあり、コントローラ１では少なくとも何れかの信号を受信することになる。
【００３６】
調光レベルを含む信号を受信したグループ親機２３では、対応する照明器具３９の論理アドレスを付加して上記信号を送信するのであるが、このときは電力線通信部２３により第２の搬送周波数で送信することになる。したがって、この信号はフィルタ部２４により遮断されるため、他のグループ親機２に対応付けた照明器具３に送信されることはない。また、グループ単位での調光レベルが送信された場合には、対応する照明器具３に対してブロードキャスト送信することになる。このとき、ブロードキャスト専用の論理アドレス（例えば、論理アドレスが８ビットの場合には「２５５」）を付加して送信する。
【００３７】
対応するグループ親機２からの上記信号を受信した照明器具３では、この信号に含まれる調光レベルを記憶部３４に記憶するとともに、この調光レベルで照明負荷３５を調光点灯するのである。
【００３８】
ここで、図６は本実施形態のコントローラ１の一例であり、上記の説明ではコントローラ１とグループ親機２１の間に配置した配線ダクト６に照明器具３を１つずつ接続してアドレス設定したが、例えば図６に示すようにコントローラ１に配線ダクト６を一体に設け、この配線ダクト６に照明器具３を１つずつ接続してアドレス設定してもよい。
【００３９】
而して、本実施形態によれば、グループ親機２から送信された第２の搬送周波数の信号は、別のグループ親機２が備えるフィルタ２４によって遮断されるから、別のグループ親機２との間に接続された照明器具３のみに受信される。したがって、１つのグループ親機２で制御する照明器具３の数を減らすことができ、その結果信号の減衰幅を小さくすることができるので、コントローラ１から送信される信号を照明器具３側に確実に伝送することができる。また、コントローラ１とグループ親機２、グループ親機２と照明器具３の間の搬送周波数を異ならせることで、各搬送周波数帯における通信頻度を下げることができ、その結果通信時間の短縮を図ることができる。
【００４０】
さらに、各グループ親機２がそれぞれコントローラ１と通信する際には、通信対象のグループ親機２とコントローラ１の間に配置された他のグループ親機２が信号を中継するので、グループ親機２とコントローラ１との間で送受信される信号を確実に伝送することができ、その結果通信の信頼性が向上するという利点もある。また、照明器具３が備えるフィルタ回路（図示せず）にはチョークコイルやコンデンサなどの電子部品が含まれており、これらの電子部品は搬送周波数が高いほど小さくすることが可能であるから、グループ親機２と照明器具３の間の搬送周波数（第２の搬送周波数）を、コントローラ１とグループ親機２の間の搬送周波数（第２の搬送周波数）よりも高い周波数に設定することで、フィルタ回路を小さくすることができて、照明器具３の小型化を図ることができる。
【００４１】
さらにまた、コントローラ１との間にグループ親機２が介在していない状態で配線ダクト６に照明器具３を接続することによって、コントローラ１と照明器具３との間で電力線通信部１２，３２による通信が可能となり、接続した照明器具３に対して自動的に個別のアドレスを設定できるので、作業性を向上できるとともに、アドレス設定による人的ミスを防止することもできる。
【００４２】
なお、本実施形態では、グループ親機２が３つ、照明器具３が９つの場合を例に説明したが、グループ親機２及び照明器具３の数は本実施形態に限定されるものではなく、それぞれ少なくとも１つずつあればよい。また、照明負荷３５についても白熱灯に限定されるものではなく、蛍光灯やＬＥＤなどであってもよい。蛍光灯の場合には、銅鉄安定器と位相制御回路で点灯回路部３３を構成し、位相角を変更して調光制御したり、商用交流電源ＡＣを整流する整流回路や入力電流歪みを抑制する昇圧チョッパー回路、高周波電力にインバータ回路などで点灯回路部３３を構成し、インバータ回路の動作周波数を変更して蛍光灯に供給する高周波電力を制御してもよい。また、ＬＥＤの場合には、直流電圧をパルス電圧に変換するＰＷＭ回路などで点灯回路部３３を構成し、ＬＥＤに印加するパルスのデューティ比を変更することによって調光レベルを制御したり、ＲＧＢ色の各ＬＥＤごとに調光してＲＧＢ合成光の色を調色制御してもよい。
【００４３】
さらに、本実施形態では、電力線搬送通信によって照明器具３のアドレスを設定したが、例えば専用の通信線を用いてアドレス設定してもよい。また、照明器具３のアドレス未設定の場合に表示させるＬＥＤなどを別途設けてもよい。さらに、本実施形態では、電力路５を介して供給する電源が商用交流電源ＡＣの場合を例に説明したが、直流電源であってもよい。
【符号の説明】
【００４４】
１  コントローラ
２  グループ親機
３  照明器具
５  電力路
１２  電力線通信部（第１の電力線通信部）
２２  電力線通信部（第３の電力線通信部）
２３  電力線通信部（第４の電力線通信部）
２４  フィルタ部
３２  電力線通信部（第２の電力線通信部）
【図１】
0005399882.tif 000002
【図２】
0005399882.tif 000003
【図３】
0005399882.tif 000004
【図４】
0005399882.tif 000005
【図５】
0005399882.tif 000006
【図６】
0005399882.tif 000007